【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
無線通信ネットワークを介して自装置の報知情報を送信する報知情報送信部と、
他装置から送信された報知情報を受信する報知情報受信部と、
前記報知情報を送信する周波数又は前記報知情報を受信する周波数を不特定の周期で順次に切り換える周波数切換部と、
前記他装置との間で前記報知情報に対する受信応答を送信又は受信した後、データの伝送処理を行う伝送処理部と、
を備える、無線通信装置。
【請求項２】
前記送信部による前記報知情報の送信と前記受信部による前記報知情報の受信の待ち受けを時分割で行い、
前記報知情報を送信する周期又は前記報知情報の受信の待ち受け周期をランダムな時間に設定するランダム時間設定部と、
を備える、請求項１に記載の無線通信装置。
【請求項３】
前記受信部により他装置から送信された前記報知情報を受信した場合に当該他装置に対して前記受信応答を送信する受信応答送信部を備える、請求項１に記載の無線通信装置。
【請求項４】
前記自装置の報知情報を受信した他装置から前記自装置の報知情報に対する前記受信応答を受信する受信処理部を備える、請求項１に記載の無線通信装置。
【請求項５】
前記送信部による報知情報の送信は定められた所定の周波数で行う、請求項１に記載の無線通信装置。
【請求項６】
前記受信部による報知情報の受信は定められた所定の周波数で行う、請求項１に記載の無線通信装置。
【請求項７】
前記送信部は、前記報知情報としてビーコンを送信し、
前記受信部は、前記報知情報として送信したビーコンに対する受信応答を受信する、請求項１に記載の無線通信装置。
【請求項８】
前記送信部は、前記報知情報としてプローブリクエストを送信し、
前記受信部は、前記報知情報として送信したプローブリクエストに対するプローブレスポンスを受信する、請求項１に記載の無線通信装置。
【請求項９】
無線通信ネットワークを介して自装置の報知情報を送信する第１の報知情報送信部と、他装置から送信された報知情報を受信する第１の報知情報受信部と、前記報知情報を送信する周波数又は前記報知情報を受信する周波数を不特定の周期で順次に切り換える第１の周波数切換部と、前記他装置との間で前記報知情報に対する受信応答を送信又は受信した後、データの伝送処理を行う第１の伝送処理部と、を備える、第１の無線通信装置と、
無線通信ネットワークを介して自装置の報知情報を送信する第２の報知情報送信部と、他装置から送信された報知情報を受信する第２の報知情報受信部と、前記報知情報を送信する周波数又は前記報知情報を受信する周波数を不特定の周期で順次に切り換える第２の周波数切換部と、前記他装置との間で前記報知情報に対する受信応答を送信又は受信した後、データの伝送処理を行う第２の伝送処理部と、を備え、前記第１の無線通信装置から送信された前記報知情報を受信し、前記第１の無線通信装置に前記受信応答を送信し、前記第１の無線通信装置との間でデータの伝送処理を行う第２の無線通信装置と、
を備える、無線通信システム。
【請求項１０】
無線通信ネットワークを介して自装置の報知情報を送信するステップと、
他装置から送信される報知情報を待ち受けるステップと、
前記報知情報を送信する周波数又は前記報知情報を受信する周波数を不特定の周期で順次に切り換えるステップと、
前記他装置との間で前記報知情報に対する受信応答を送信又は受信した後、データの伝送処理を行うステップと、
を備える、無線通信方法。
【請求項１１】
無線通信ネットワークを介して自装置の報知情報を送信する手段、
他装置から送信された報知情報を受信する手段、
前記報知情報を送信する周波数又は前記報知情報を受信する周波数を不特定の周期で順次に切り換える手段、
前記他装置との間で前記報知情報に対する受信応答を送信又は受信した後、データの伝送処理を行う手段、
としてコンピュータを機能させるためのプログラム。
【請求項１２】
他装置から送信されたプローブレスポンスを受信する受信部と、
周波数チャネルでプローブリクエストを送信する送信部と、
前記プローブリクエストを送信しようとするチャネルを切り換える切換部と、
前記プローブリクエストを送信する期間、または、前記プローブレスポンスを受信する期間をランダム化する制御部と、
を備える、無線通信装置。
【請求項１３】
他装置へ送信しようとする前記プローブリクエストのフレームを構成するデータ処理部を備える、請求項１２に記載の無線通信装置。
【請求項１４】
他装置から受信された前記プローブレスポンスのフレームを復号するデータ処理部を備える、請求項１３に記載の無線通信装置。
【請求項１５】
前記送信部による前記プローブリクエストの送信は、複数の周波数チャネルの所定の集合の中で順次に切り換えられた任意の周波数チャネルで行われる、請求項１２に記載の無線通信装置。
【請求項１６】
前記所定の集合は３つの周波数チャネルから構成される、請求項１５に記載の無線通信装置。
【請求項１７】
前記受信部によるリクエストフレームの待機は、複数の周波数チャネルの所定の集合から選択された所定の周波数チャネルで行われる、請求項１２に記載の無線通信装置。
【請求項１８】
前記送信部による前記プローブレスポンスの受信と前記受信部による前記プローブリクエストの送信の待機とは時分割方式で行われ、送信と待機の時分割はオーバーラップしない、請求項１２に記載の無線通信装置。
【請求項１９】
前記制御部によって設定されるランダムな期間は、固定された時間間隔のランダムな倍数である、請求項１２に記載の無線通信装置。
【請求項２０】
前記送信部は、報知情報としてビーコンを送信するように構成され、
前記受信部は、報知情報として送信された前記ビーコンに対する応答を受信するように構成された、請求項１２に記載の無線通信装置。
【請求項２１】
前記送信部は、報知情報としてプローブリクエストを送信するように構成され、
前記受信部は、報知情報として送信された前記プローブリクエストに対するプローブレスポンスを受信するように構成され、
前記送信部による前記報知情報の送信と前記受信部による前記報知情報の受信の待機とは時分割方式で行われ、
前記報知情報の送信期間又は前記報知情報の受信期間をランダムに設定するランダム期間設定部と、
前記報知情報に対する応答の送信後又は受信後にデータを送信するデータ処理部と、を有する、請求項１２に記載の無線通信装置。
【請求項２２】
前記プローブレスポンスは、無線通信装置の識別情報を含む、請求項１２に記載の無線通信装置。
【請求項２３】
前記プローブリクエストは、待機周波数チャネルで待機される、請求項１２に記載の無線通信装置。
【請求項２４】
受信したプローブリクエストの周波数が前記待機周波数チャネルの周波数と一致する場合はネゴシエーションを行い、
前記ネゴシエーションは、前記プローブリクエストを送信した無線通信装置又は前記プローブリクエストを受信した無線通信装置のいずれかがアクセスポイントの役割を担うかを決定する、請求項２３に記載の無線通信装置。
【請求項２５】
プローブリクエストにフレームチェックシーケンスを挿入する、請求項１２に記載の無線通信装置。
【請求項２６】
前記プローブレスポンスは、少なくともネットワークの識別子、サポートされた通信レート情報、又は無線通信装置の装置名称を含む、請求項１２に記載の無線通信装置。
【請求項２７】
命令を格納するメモリと、
前記メモリに接続され、他装置からのプローブリクエストの受信、周波数チャネルを介したプローブレスポンスの送信、プローブリクエストが送信される周波数チャネルの切り換え、のために前記メモリから前記命令を読み出して実行するプロセッサと、
を備え、
前記プローブリクエストの送信期間のランダム化、又は前記プローブリクエストに対する応答の受信期間のランダム化を行う、情報処理装置。
【請求項２８】
ＩＥＥＥ  ８０２．１１に準拠した無線通信装置であって、
他装置から送信されたプローブリクエストを受信する受信部と、
任意の周波数チャネルを介して、少なくともネットワークの識別子、サポートされた通信レート情報又は無線通信装置の装置名称を含むプローブレスポンスを送信する送信部と、
前記報知情報を送信する
プローブリクエストが送信される所定の複数の周波数チャネルの１群の中から周波数チャネルを切り換える切換部と、
前記プローブリクエストの送信期間をランダム化、又は前記プローブリクエストの受信期間をランダム化する制御部と、
を備え、
前記プローブリクエストの送信期間と前記プローブリクエストの受信期間はオーバーラップしないものであり、
前記プローブレスポンスは、前記プローブリクエストの受信期間の間のみに送信される、無線通信装置。